(57)【要約】【課題】電子機器の操作に関するヘルプ画面を特別な通信手段を必要とせずに端末機器に表示させる。【解決手段】画像形成装置２の表示パネル２１には、操作画面と共に画像形成装置２の機種名と表示中の操作画面を識別するための識別コードが表示される。モバイル端末１が識別コードを撮影すると、モバイル端末１の識別コード解析部は、識別コードから画像形成装置２の機種名と操作画面の種類を解析する。識別コード解析部の解析結果を受けて、モバイル端末１の制御部は該当機種のヘルプ情報を選択し、そのヘルプ情報から操作画面で設定可能な項目を抽出する。モバイル端末１の表示制御部は、制御部が抽出した設定可能な項目を表示部１３１に表示させる。タッチパネル１３２が設定可能な項目の選択入力を受け付けると、表示制御部は選択された項目の項目データのヘルプ画面を表示部１３１に表示させる。【選択図】図１
2016045635.tif 000002
【特許請求の範囲】
【請求項１】
表示部と、
撮影対象物を撮影可能なカメラ部と、
電子機器が備える表示パネルに表示される操作画面に対応する操作を実行するための操作手順を示すヘルプ画面の情報を、当該操作画面毎に記憶するヘルプ情報記憶部と、
前記カメラ部が撮影した撮影画像の中から、前記操作画面毎に作成された識別コードを示す画像を検出し、当該検出した画像が示す識別コードから、この時点で前記表示パネルに表示されている操作画面を判別する識別コード解析部と、
前記識別コード解析部が判別した操作画面に対応するヘルプ画面を前記ヘルプ情報記憶部から読み出して前記表示部に表示させる表示制御部と、を備えた端末機器。
【請求項２】
前記ヘルプ情報記憶部は、前記電子機器の前記表示パネルに表示される前記各操作画面において操作可能とされている項目と、その項目毎にその項目内容を実行するための操作手順を示すヘルプ画面の情報とを対応付けて記憶し、
前記表示制御部は、前記識別コード解析部が判別した操作画面において操作可能とされている項目を、前記ヘルプ情報記憶部から読み出して前記表示部に表示させ、
更に、前記表示部に表示された操作可能な項目の選択入力を受け付ける入力受付部を備え、
前記表示制御部は、前記入力受付部が受け付けた項目の内容を実行するための操作手順を示すヘルプ画面を、前記ヘルプ情報記憶部から読み出して前記表示部に更に表示させる請求項１に記載の端末機器。
【請求項３】
画像を表示する表示パネルと、
前記操作案内の内容を示すと共に、当該内容を判別するための情報を含んだ識別コードの画像を有する操作画面の画面データを記憶する画面データ記憶部と、
ユーザーから電子機器に対する操作指示が入力される操作指示入力部と、
前記操作指示入力部に入力された操作指示の内容に対応する前記画面データを前記画面データ記憶部から読み出して前記表示パネルに表示させる制御部と、を備える電子機器。
【請求項４】
請求項１に記載の端末機器と、
操作画面とその操作画面を判別するための情報を含んだ識別コードを同時に表示する表示パネルを有し、用紙に画像を印刷する前記電子機器としての画像形成装置と、を備えた画像形成システム。
【請求項５】
電子機器が備える表示パネルに表示される操作画面の内容を判別する情報を含んだ識別コードを端末機器のカメラ部で撮影する撮影ステップと、
前記撮影ステップで撮影された識別コードから前記表示パネルに表示されている操作画面を前記端末機器において判別する識別コード解析ステップと、
前記電子機器が備える表示パネルに表示される操作画面に対応する操作を実行するための操作手順を示すヘルプ画面の情報を当該操作画面毎に記憶するヘルプ情報記憶部から、前記識別コード解析ステップにおいて判別された操作画面に対応するヘルプ画面を前記端末機器において読み出し、前記端末機器の表示部に表示させる表示ステップと、をコンピューターに実行させるための表示制御プログラム。
【発明の詳細な説明】
【技術分野】
【０００１】
本発明は、端末機器、電子機器、画像形成システム、及び表示制御プログラムに関する。
【背景技術】
【０００２】
画像形成装置の操作方法についてユーザーが確認する際、当該画像形成装置の表示パネルに表示されるソフトキーとしてのヘルプボタン、または本体に備わっているハードキーをユーザーが操作することで、ユーザーに対して操作方法を案内する表示を行う所謂ヘルプ画面を表示させ、これにより、ユーザーが操作方法や設定項目を確認する方法が一般的である。
【０００３】
しかし、表示パネルに表示されたヘルプ画面は、それまで行っていた操作を案内する本来の操作画面を切り替えて別画面で表示されることが多く、ユーザーは、ヘルプ画面に切り替わるとそれまでの本来の操作画面を視認できない。このため、ユーザーは、ヘルプ画面の情報を覚えてそのヘルプ画面を閉じ、本来の操作画面を表示させてこれを看ながら、ヘルプ画面で覚えた情報に基づいて操作を実行することになる。これにより、ユーザーは、ヘルプ画面の情報を覚えるという作業が必要になるので、直感的な操作ができない。また、ヘルプ画面が案内する操作手順が長い場合、ユーザーは上記操作画面を何度もヘルプ画面に切り替えて情報を確認しつつ操作を行わなければならない場合もあり、手間を増やす原因となっていた。
【０００４】
ここで、特許文献１及び特許文献２には、携帯端末装置がサーバーから画像形成装置のパネルデータを取得することで、携帯端末装置の表示部にヘルプ画面を表示させる技術が記載されている。こうすることで、ユーザーは携帯端末装置の画面を見ながら、画像形成装置の画面操作をすることができる。
【先行技術文献】
【特許文献】
【０００５】
【特許文献１】特開２０１３−２５６３８号公報
【特許文献２】特開２０１０−２１９８７９号公報
【発明の概要】
【発明が解決しようとする課題】
【０００６】
しかし、上記各特許文献に示される技術の場合、携帯端末装置がネットワークと接続してサーバーからヘルプ画面の情報を取得する必要がある。従って、サーバー及び当該サーバーへの通信手段を備えておく必要があり、また、ネットワークと接続できない環境では使用できなかった。
【０００７】
本発明は、上記の問題を解決するためになされたもので、サーバーとの通信手段が必要とされず、ネットワークと接続できない環境下であっても、電子機器の操作に関するヘルプ画面を端末機器に表示させることを目的とする。
【課題を解決するための手段】
【０００８】
本発明の一局面に係る電子機器は、表示部と、
撮影対象物を撮影可能なカメラ部と、
電子機器が備える表示パネルに表示される操作画面に対応する操作を実行するための操作手順を示すヘルプ画面の情報を、当該操作画面毎に記憶するヘルプ情報記憶部と、
前記カメラ部が撮影した撮影画像の中から、前記操作画面毎に作成された識別コードを示す画像を検出し、当該検出した画像が示す識別コードから、この時点で前記表示パネルに表示されている操作画面を判別する識別コード解析部と、
前記識別コード解析部が判別した操作画面に対応するヘルプ画面を前記ヘルプ情報記憶部から読み出して前記表示部に表示させる表示制御部と、を備えたものである。
【０００９】
また、本発明の一局面に係る電子機器は、画像を表示する表示パネルと、
前記操作案内の内容を示すと共に、当該内容を判別するための情報を含んだ識別コードの画像を有する操作画面の画面データを記憶する画面データ記憶部と、
ユーザーから電子機器に対する操作指示が入力される操作指示入力部と、
前記操作指示入力部に入力された操作指示の内容に対応する前記画面データを前記画面データ記憶部から読み出して前記表示パネルに表示させる制御部と、を備えるものである。
【００１０】
また、本発明の一局面に係る画像形成システムは、上記端末機器と、
操作画面とその操作画面を判別するための情報を含んだ識別コードを同時に表示する表示パネルを有し、用紙に画像を印刷する前記電子機器としての画像形成装置と、を備えたものである。
【００１１】
また、本発明の一局面に係る表示制御プログラムは、電子機器が備える表示パネルに表示される操作画面の内容を判別する情報を含んだ識別コードを端末機器のカメラ部で撮影する撮影ステップと、
前記撮影ステップで撮影された識別コードから前記表示パネルに表示されている操作画面を前記端末機器において判別する識別コード解析ステップと、
前記電子機器が備える表示パネルに表示される操作画面に対応する操作を実行するための操作手順を示すヘルプ画面の情報を当該操作画面毎に記憶するヘルプ情報記憶部から、前記識別コード解析ステップにおいて判別された操作画面に対応するヘルプ画面を前記端末機器において読み出し、前記端末機器の表示部に表示させる表示ステップと、をコンピューターに実行させるものである。
【発明の効果】
【００１２】
本発明によれば、電子機器の表示パネルに表示された識別コードをカメラ部が撮影し、識別コードが判別され、判別結果に応じてヘルプ情報記憶部から電子機器の操作についてのヘルプ画面が読み出されて、当該ヘルプ画面が端末機器の表示部に表示されるので、電子機器には本来の操作画面が表示可能であると共に、端末機器にはヘルプ画面が同時に表示されるため、ユーザーは、端末機器に表示されたヘルプ画面を見ながら、電子機器の表示パネルに表示された案内画面が示す操作を行うことが可能になる。本発明では、従来のようにヘルプ画面に表示された操作内容を覚える必要がなく、ヘルプ画面を見ながら直感的に操作できるため、利便性を高めることができる。これは、視認性の良い大きな表示パネルを備えることが不可能な電子機器の操作を行うにあたって特に有益である。
【００１３】
そして、本発明では、端末機器がヘルプ画面の情報をヘルプ情報記憶部に記憶しているため、ネットワークやサーバー等を経由してヘルプ情報を取得する必要がない。つまり、サーバー及びサーバーへの通信手段がない、又はネットワークに接続不可の環境下でも、ヘルプ画面を端末機器で表示することができる。
【図面の簡単な説明】
【００１４】
【図１】本発明の一実施形態に係る画像形成システムについて示した概略図である。
【図２】本発明の一実施形態に係るモバイル端末の主要内部構成を示す機能ブロック図である。
【図３】ヘルプ情報記憶部に記憶されるデータ構成の一例を概念的に示す図である。
【図４】画像形成装置の主要内部構成を示す機能ブロック図である。
【図５】モバイル端末における表示部の表示制御を示すフローチャートである。
【図６】画像形成装置の表示パネルを示す図である。
【図７】モバイル端末の表示部の画面例を示した図である。
【図８】モバイル端末の表示部の画面例を示した図である。
【発明を実施するための形態】
【００１５】
以下、本発明の一実施形態に係る端末機器、電子機器、画像形成システム、及び表示制御プログラムについて図面を参照して説明する。図１は本発明の一実施形態に係る画像形成システム１０について示した概略図である。
【００１６】
画像形成システム１０は、モバイル端末１（端末機器の一例）と画像形成装置（電子機器の一例）２によって構成される。モバイル端末１は、カメラ付きのスマートフォンやタブレット端末等である。
【００１７】
画像形成装置２は、現像剤としてトナーを用いた電子写真方式の画像形成装置や、インクを用いたインクジェットプリンター等であり、本体正面に表示パネル２１を備えたものである。この表示パネル２１には、画像形成装置の操作画面と共に識別コードが表示される。識別コードとは、表示パネル２１の画面内容を判別するための情報が組み込まれたコードであって、二次元バーコードやマトリクス型二次元コードで表現される。
【００１８】
モバイル端末１は、カメラ機能を用いて表示パネル２１に表示された識別コードを撮影し、モバイル端末１の識別コード解析部１１１（後述）が当該識別コードから画像形成装置２の機種名と表示パネル２１に現在表示されている操作画面を判別する。そして、モバイル端末１の表示制御部１１２（後述）は、表示パネル２１に表示されている操作画面についてユーザーをサポートするためのヘルプ画面をモバイル端末１の表示部１３１に表示させる。
【００１９】
図２は、モバイル端末１の主要内部構成を示す機能ブロック図である。モバイル端末１は、制御部１１、カメラ部１２、操作部１３、記憶部１４等で構成される。
【００２０】
カメラ部１２は、被写体（撮影対象物）を撮影して画像データを生成する撮像機構等により構成される。
【００２１】
操作部１３は、モバイル端末１が実行可能な各種動作及び処理についてユーザーからの指示を受け付ける機構であり、表示部１３１とタッチパネル１３２（入力受付部）を備える。表示部１３１は、ＬＣＤ（Liquid Crystal Display）等を備える。タッチパネル１３２は、ユーザーが指等により行った押下操作に応じて、表示部１３１の表示画面においてユーザーにより押下された位置（座標）を制御部１１へ出力する機能等を備える。制御部１１は、タッチパネル１３２から出力された位置情報に基づいて、当該押下の位置を検出する。表示部１３１とタッチパネル１３２は重なり合って一体的に構成されている。
【００２２】
記憶部１４は、メモリー等からなり、モバイル端末１の動作に必要なプログラムやデータを記憶する。記憶部１４は、本実施の形態では表示制御プログラム１４１を記憶し、一部の記憶領域がヘルプ情報記憶部１４２として機能する。制御部１１は、表示制御プログラム１４１に従って動作することで、識別コード解析部１１１として、カメラ部１２により撮影された識別コードから画像形成装置２の表示パネル２１に表示中の操作画面を判別し、表示制御部１１２として、当該操作画面で操作可能な項目を表示部１３１に表示させ、ユーザーから操作したい項目の選択がタッチパネル１３２により受け付けられると、受け付けられた項目に対応するヘルプ画面を表示部１３１に更に表示させる。当該制御部１１が、特許請求の範囲におけるコンピューターの一例である。
【００２３】
制御部１１は、表示制御プログラム１４１に従って動作することで、記憶部１４がヘルプ情報記憶部１４２としても機能する。ヘルプ情報記憶部１４２は、取り扱いの対象である画像形成装置毎に各操作画面の情報と、その各操作画面において操作可能な項目を対応付けて記憶し、更に、前記項目毎にその項目内容を実行するための操作手順を示すヘルプ画面の情報を対応付けて記憶する。
【００２４】
図３は、ヘルプ情報記憶部１４２に記憶されるデータ構成の一例を概念的に示す図である。ヘルプ情報記憶部１４２は、例えば機種名「装置２００」が付された画像形成装置のヘルプ情報を記憶するヘルプ情報５１、「装置３００」が付された画像形成装置のヘルプ情報を記憶するヘルプ情報５２、及び「装置５００」が付された画像形成装置のヘルプ情報を記憶するヘルプ情報５３を有する。
【００２５】
例えば、「装置２００」のヘルプ情報５１は、コピー画面データ５１１、ＦＡＸ画面データ５１２及びスキャン画面データ５１３を有する。なお、ヘルプ情報５１として、「装置２００」において操作が可能な各項目を示す情報が、当該コピー画面データ５１１、ＦＡＸ画面データ５１２及びスキャン画面データ５１３のそれぞれについて記憶されている。コピー画面データ５１１は、コピー動作についての操作案内を示す表示画面の画像データである。ＦＡＸ画面データ５１２は、ファクシミリ動作についての操作案内を示す表示画面の画像データである。スキャン画面データ５１３は、スキャン動作についての操作案内を示す表示画面の画像データである。コピー画面データ５１１、ＦＡＸ画面データ５１２及びスキャン画面データ５１３のデータはそれぞれに、操作可能な項目毎にヘルプ画面（操作案内を表示する画面）を有する。例えば、機種名「装置２００」のコピー動作では、集約設定、両面印刷設定、印刷部数の変更、カラーバランスの変更が設定可能とされている場合、そのコピー画面データ５１１としては、集約設定、両面印刷設定、印刷部数の変更、カラーバランスの各項目について、項目データがヘルプ情報記憶部１４２に記憶されている。本実施形態では、ヘルプ情報記憶部１４２に項目データ５ａ〜５ｄが記憶されている。
【００２６】
例えば、項目データ５ａは、集約設定を実行するために押下すべき操作ボタンの位置を示したヘルプ画面データ６１を記憶する。他の項目データ５ｂ〜５ｄも同様に、対応する項目を実行するためのヘルプ画面データを記憶する。
【００２７】
制御部１１は、ＣＰＵ(Central Processing Unit)、ＲＡＭ、ＲＯＭ及び専用のハードウェア回路等から構成され、モバイル端末１の全体的な動作制御を司る。制御部１１は、識別コード解析部１１１及び表示制御部１１２を備える。
【００２８】
識別コード解析部１１１は、カメラ部１２が撮影した撮影画像の中から、識別コードを示す画像を検出し、当該検出した画像が示す識別コードから、この時点で画像形成装置２の表示パネル２１に表示されている操作画面がいずれの操作画面であるかを判別する。
【００２９】
表示制御部１１２は、識別コード解析部１１１が判別した操作画面において操作可能な項目を、ヘルプ情報記憶部１４２から読み出して表示部１３１に表示させる制御を行う。そして、表示制御部１１２は、表示された当該項目の中からユーザーによる何れか一つの選択入力がタッチパネル１３２に受け付けられると、選択された当該項目を実行するためのヘルプ画面の画像をヘルプ情報記憶部１４２から読み出して表示部１３１に表示させる。ユーザーは、モバイル端末１の表示部１３１に表示されたヘルプ画面を見ながら、画像形成装置２の表示パネル２１に表示された案内画面が示す操作を行う。
【００３０】
次に、画像形成装置２を説明する。図４は、画像形成装置２の主要内部構成を示す機能ブロック図である。画像形成装置２は、制御部１００、操作部４７、原稿給送部６、原稿読取部５、画像形成部１２０、画像メモリー３２、定着部１３０、ファクシミリ通信部７１、ネットワークインターフェイス部９１、駆動モーター７０、及びＨＤＤ９２等を備える。
【００３１】
操作部（操作指示入力部の一例）４７は、ユーザーから画像形成装置２に対する操作指示が入力される。操作部４７は、表示パネル２１を備えている。表示パネル２１は、ＬＣＤ（liquid crystal display）等を有し、各種画像を表示する。
【００３２】
原稿読取部５は、光照射部により原稿を照射し、その反射光をＣＣＤセンサーで受光することにより、原稿から画像を読み取る。
【００３３】
画像メモリー３２は、原稿読取部５による読取で得られた原稿画像のデータを一時的に記憶したり、画像形成部１２０のプリント対象となるデータを一時的に保存する領域である。
【００３４】
ファクシミリ通信部７１は、図略の符号化／復号化部、変復調部及びＮＣＵ（Network Control Unit）を備え、公衆電話回線網を用いてのファクシミリの送信を行うものである。
【００３５】
ネットワークインターフェイス部９１は、ＬＡＮボード等の通信モジュールから構成され、当該ネットワークインターフェイス部９１に接続されたＬＡＮ等を介して、ローカルエリア内又はインターネット上のコンピューター２０等と種々のデータの送受信を行う。
【００３６】
ＨＤＤ（画面データ記憶部の一例）９２は、原稿読取部５によって読み取られた原稿画像等を記憶する大容量の記憶装置である。ＨＤＤ９２は、画像形成装置２の各動作についての操作案内の内容を示すそれぞれの操作画面の画面データを記憶している。各画面データの示す操作画面は、当該操作画面の示す操作案内の内容を判別するための情報を含んだ識別コードの画像を含んでいる。
【００３７】
駆動モーター７０は、画像形成部１２０の各回転部材及び搬送ローラー等に回転駆動力を付与する駆動源である。
【００３８】
制御部１００は、ＣＰＵ(Central Processing Unit)、ＲＡＭ、ＲＯＭ及び専用のハードウェア回路等から構成され、画像形成装置２の全体的な動作制御を司る。制御部１００は、操作部４７、原稿給送部６、原稿読取部５、画像メモリー３２、画像形成部１２０、定着部１３０、駆動モーター７０、ファクシミリ通信部７１、ネットワークインターフェイス部９１、及びＨＤＤ９２等と接続され、これら各部の制御を行う。
【００３９】
制御部１００は、操作部４７に入力された操作指示の内容に対応する画面データをＨＤＤ９２から読み出して表示パネル２１に表示させる表示制御を行う。
【００４０】
図５は、モバイル端末１における表示部１３１の表示制御を示すフローチャートである。図６は画像形成装置２の表示パネル２１を示す図である。図７及び図８は、モバイル端末１の表示部１３１の画面例を示した図である。
【００４１】
図６に示すように、画像形成装置２の制御部１００は、ＨＤＤ９２から、この時点で操作されている操作に対応する操作画面の画面データを読み出して表示パネル２１に表示させる。このとき、当該操作画面と共に、当該操作画面に対応付けられた識別コード３が表示される。識別コード３は、画像形成装置２の機種名と表示中の操作画面の内容を判別するために用いられる。
【００４２】
モバイル端末１のカメラ部１２が、当該表示されている識別コード３を撮影すると（ステップＳ１１；ＹＥＳ、撮影ステップ）、識別コード解析部１１１は、カメラ部１２が撮影した撮影画像の中から識別コード３を示す画像を検出し、当該検出した画像が示す識別コード３から、画像形成装置２の機種名と、表示パネル２１に現在表示されている操作画面の種類とを判別する（ステップＳ１２、識別コード解析ステップ）。
【００４３】
表示制御部１１２は、識別コード解析部１１１の判別結果に従って、ヘルプ情報記憶部１４２から該当する機種のヘルプ情報を選択し、当該ヘルプ情報から、この時点で表示されている操作画面において設定可能な項目を抽出し、当該項目に対応する項目データをヘルプ情報記憶部１４２から読み出して、表示部１３１に表示させる（ステップＳ１３、第１表示ステップ）。
【００４４】
このときの表示部１３１の画面の一例を図７に示す。例えば、識別コード解析部１１１が、識別コード３より、機種名が「装置 100」、表示中の画面がコピー画面と判別した場合、表示制御部１１２は、ヘルプ情報記憶部１４２の「装置 100」のヘルプ情報５１からコピー画面データ５１１を選択し、更にコピー画面データ５１１が記憶する各項目データについて、その項目名のみを抽出する。例えば、本実施形態では、表示制御部１１２は、コピー画面データ５１１としての項目データ５ｂ〜５ｄから、「(1)集約設定をしたい」、「(2)両面印刷を設定したい」、「(3)部数を変更したい」、「(4)カラーバランスを変更したい」という項目名を抽出し、この項目名を表示部１３１に表示させる。
【００４５】
そして、表示部１３１に表示された設定可能な項目から、所望の項目を選択する入力をユーザーからタッチパネル１３２が受け付けると（ステップＳ１４；ＹＥＳ、入力受付ステップ）、表示制御部１１２は、当該選択された項目に対応する項目データに含まれるヘルプ画面を表示部１３１に表示させる（ステップＳ１５、第２表示ステップ）。
【００４６】
このときの表示部１３１の画面の一例を図８に示す。例えば、ユーザーの選択した設定可能な項目が「(1)集約設定をしたい」である場合、表示制御部１１２は、ヘルプ情報記憶部１４２のコピー画面データ５１１の項目データ５ａに記憶されているヘルプ画面データ６１を読み出して、集約設定についてのヘルプ画面として表示部１３１に表示させる。ユーザーは、表示部１３１に表示されたヘルプ画面を見ながら、画像形成装置２を操作し、所望の設定項目（この場合は集約設定）の操作を行う。
【００４７】
項目データ５ａがヘルプ画面データを複数枚記憶している場合（つまり、集約設定を行うために複数の操作を行う必要があり、各操作に対応したそれぞれのヘルプ画面データが記憶されている場合）、表示制御部１１２は、各ヘルプ画面を順次項目データ５ａから読み出して表示部１３１に表示させる（ステップＳ１６；ＮＯ，Ｓ１５）。そして表示制御部１１２が最後のヘルプ画面を表示させたら（ステップＳ１６；ＹＥＳ）、制御部１１は処理を終了する。
【００４８】
従来は、画像形成装置が備える一つの表示パネルに、操作画面とヘルプ画面が選択的に切り替えられ交互に表示されていたため、ユーザーはヘルプ画面の情報を覚えてそのヘルプ画面を一旦閉じ、操作画面に表示を切り替えた上で覚えた操作を実行する必要があり、面倒であった。更に、一つの操作が終わっても、次の操作が分からない場合、ユーザーは操作画面とヘルプ画面を交互に何度も見る必要が有り、手間がかかっていた。
【００４９】
しかし、上記実施形態では、画像形成装置２の表示パネル２１に表示された識別コードをモバイル端末１が撮影し、識別コード解析部１１１がこの識別コードを解析し、解析結果に応じて表示制御部１１２がヘルプ情報記憶部１４２からヘルプ画面を読み出して表示部１３１に表示させるので、ユーザーはモバイル端末１の表示部１３１に表示された当該ヘルプ画面を見ながら、画像形成装置２の表示パネル２１に表示された案内画面が示す操作を行うことができる。このため、本実施形態によれば、ユーザーは、操作内容を覚える必要がなく、直感的に操作することができ、操作時の利便性が高まる。これは、視認性の良い大きな表示パネルを備えることが不可能な例えば廉価版の画像形成装置の操作を行うにあたって特に有益である。
【００５０】
そして、本実施形態では、モバイル端末１は、各画像形成装置の操作に関する上記ヘルプ情報を予め記憶部１４に保持しているため（例えば、ファームウェアの形式で記憶しておくことが可能）、ネットワークやサーバー等を経由してヘルプ情報を取得する必要がない。これにより、本実施形態では、サーバーとの通信手段を必要とせず、ネットワークと接続できない環境下であっても画像形成装置の操作に関するヘルプ画面をモバイル端末１の表示パネルに表示させることができる。
【００５１】
なお、本発明は上記実施の形態の構成に限られず種々の変形が可能である。例えば、上記実施形態では、ヘルプ情報記憶部１４２は、画像形成装置の表示パネルに表示される各操作画面において操作可能とされている項目と、その項目毎にその項目内容を実行するための操作手順を示すヘルプ画面の情報とを対応付けて記憶し、表示制御部１１２は、識別コード解析部１１１が判別した操作画面において操作可能とされている項目をヘルプ情報記憶部１４２から読み出して表示部１３１に表示させ、タッチパネル１３２がユーザーから選択を受け付けた項目に対応するヘルプ画面をヘルプ情報記憶部１４２から読み出して表示部１３１に更に表示させるものとしているが、本発明は、この実施形態に限られない。例えば、ヘルプ情報記憶部１４２は、ヘルプ画面の情報を、画像形成装置の表示パネルに表示される操作画面毎に記憶するものとし、表示制御部１１２は、識別コード解析部１１１が判別した操作画面に対応するヘルプ画面をヘルプ情報記憶部１４２から読み出して表示部１３に表示させるようにしてもよい。
【００５２】
また、上記実施形態では、本発明に係る電子機器の一実施形態として画像形成装置を用いて説明しているが、これは一例に過ぎず、他の電子機器、例えば、電子レンジ、炊飯器、洗濯機、医療機器等であってもよい。
【００５３】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００５４】
１      画像形成装置
１１    制御部
１１１  識別コード解析部
１１２  表示制御部
１２    カメラ部
１３    操作部
１３１  表示部
１３２  タッチパネル
１４    記憶部
１４１  表示制御プログラム
１４２  ヘルプ情報記憶部
２      画像形成装置
２１    表示パネル
４７    操作部
９２    ＨＤＤ
１００  制御部
１０    画像形成システム
【図２】
2016045635.tif 000003
【図４】
2016045635.tif 000004
【図５】
2016045635.tif 000005
【図７】
2016045635.tif 000006
【図１】
2016045635.tif 000007
【図３】
2016045635.tif 000008
【図６】
2016045635.tif 000009
【図８】
2016045635.tif 000010